(57)【要約】      （修正有）【課題】挿入部の抜止用凸部を清掃具本体の挿入用隙間に容易に挿入でき、抜止用凸部を挿入用隙間内でスムーズに移動させることができる清装具の把手を提供する。【解決手段】把手３は、前部に配設された左右一対の挿入部２９と、後部に配設された把持部５０とを有し、各挿入部が、清掃具本体２の、左右一対の偏平な挿入用隙間１９に、それぞれ挿入される。挿入部は、略前後方向に配設された内側棒状体３７と、略前後方向に配設され且つ内側棒状体の外側方に配置された外側棒状体３８とを有し、両内側棒状体と外側棒状体の間に、外側棒状体の内側方への弾性変形を許容する変形用隙間３９が形成されると共に、外側棒状体の外側縁部に、「外側方に突出し、挿入部が挿入用隙間に挿入された際に、清掃具本体に係合して、挿入用隙間からの離脱を防止する抜止用凸部４４，４５」が形成されている。【選択図】図３
0003201421.tif 000002
【実用新案登録請求の範囲】
【請求項１】
清掃具本体に備えられるものであり、  
前部に配設された左右一対の挿入部と、後部に配設された把持部とを有し、
各挿入部が、清掃具本体における、左右一対の偏平な挿入用隙間に、それぞれ、挿入される清掃具用把手であって、
挿入部が、略前後方向に配設された内側棒状体と、略前後方向に配設され且つ内側棒状体の外側方に配置された外側棒状体とを有し、
内側棒状体と外側棒状体間に、外側棒状体の内側方への弾性変形を許容する変形用隙間が形成され、
外側棒状体の外側縁部に、
外側方に突出し、挿入部が挿入用隙間に挿入された際に、清掃具本体に係合して、    挿入部の挿入用隙間からの離脱を防止する抜止用凸部
が形成されたことを特徴とする清掃具の把手。
【請求項２】
外側棒状体が、前端に向かうに従って内側方に移行するように、前後方向に対して傾斜状とされ、
内側棒状体が外側棒状体よりも前方に突出している請求項１記載の清掃具用把手。
【請求項３】
イ．後部の基部と、基部から前方に突設される挿入部とを有する挿入体と、
ロ．取付部と、取付部から突設される把持部とを有する把持体と
を有し、
基部に取付部が左右方向に配設された支持軸を介して揺動自在に備えられ、
この揺動により、把持体が使用姿勢と収納姿勢とに姿勢変更可能とされ、
把持体の使用姿勢では、把持部が基部から後方斜め上方に延設され、
把持体の収納姿勢では、把持部が挿入体の下方に配置されて、把持部が挿入部と当接する請求項１又は２記載の清掃具用把手。
【請求項４】
ａ．不織布製の基礎シートと、
ｂ．基礎シート上に重合された不織布製の重合シートと、
ｃ．基礎シートの下面に備えられ、左右方向に流れる繊維及び／又は繊維束から成る清    掃部と
を有する清掃具本体と、
請求項１〜３の何れかに記載の清掃具用把手と
を備え、
重合シート、基礎シート及び清掃部の左右方向中央部が、前後方向に連続的に形成された中央接合部で、一体に接合され、
中央接合部の左右両側で、重合シート、基礎シート及び清掃部が、前後方向に沿って形成された左右一対の側部接合部で、一体に接合され、
重合シート及び基礎シートにおける、中央接合部と各側部接合部との間が、挿入用隙間とされたことを特徴とする清掃具。
【請求項５】
抜止用凸部が、外側棒状体の前部及び／又は後部に形成され、
挿入用隙間の前部及び／又は後部に、抜止用凸部を収容する収容部が外側方に突出状に形成されている請求項４記載の清掃具。
【考案の詳細な説明】
【技術分野】
【０００１】
本考案は、清掃具用把手及び清掃具に関する。
【背景技術】
【０００２】
従来、清掃具として、拭き清掃を行なう清掃具本体と、この本体に備えられる把手とを備えるものがある（例えば、特許文献１参照）。
【０００３】
上記清掃具本体は、不織布製の基礎シートと、基礎シート上に重合されて接合される不織布製の重合シートと、基礎シートの下面に接合される刷毛状の清掃部とを備えている。基礎シートと重合シート間には、左右一対の偏平な筒状の挿入用隙間が形成され、挿入用隙間の前後端には、前方又は後方に開口する挿入用開口が形成されている。
【０００４】
上記把手は、把持部と左右一対の偏平な挿入部を有しており、各挿入部は、各挿入用隙間に、それぞれ、挿入される。各挿入部の外側縁部には、外側方に突出する抜止用凸部が形成され、各挿入部を挿入用隙間に挿入した際に、抜止用凸部が基礎シート及び重合シートに係合することで、把手が清掃具本体から不慮に脱落することが防止されている。
【先行技術文献】
【特許文献】
【０００５】
【特許文献１】特許第３９２７１３７号公報
【考案の概要】
【考案が解決しようとする課題】
【０００６】
ところで、把手の挿入部を清掃具本体の挿入用隙間に挿入した際には、挿入された挿入部により、挿入用隙間が上下方向に拡大し、これに伴い、挿入用隙間が左右方向に関して縮小する。これにより、挿入部の抜止用凸部を挿入用開口から挿入用隙間に容易に挿入できなくなったり、或いは、抜止用凸部を挿入用隙間内で前方に移動させる際に、抜止用凸部が基礎シートや重合シートに引っ掛かったりして、抜止用凸部をスムーズに移動させることができないとの問題があった。
【０００７】
本考案は上記問題を解決でき、把手の挿入部の抜止用凸部を清掃具本体の挿入用開口から挿入用隙間に容易に挿入できると共に、抜止用凸部を挿入用隙間内で前方にスムーズに移動させることができる清掃具用把手及び清掃具を提供することを目的とする。
【課題を解決するための手段】
【０００８】
上記目的を達成するために、本考案の清掃具用把手の特徴とするところは、清掃具本体に備えられるものであり、前部に配設された左右一対の挿入部と、後部に配設された把持部とを有し、各挿入部が、清掃具本体における、左右一対の偏平な挿入用隙間に、それぞれ、挿入される清掃具用把手であって、挿入部が、略前後方向に配設された内側棒状体と、略前後方向に配設され且つ内側棒状体の外側方に配置された外側棒状体とを有し、内側棒状体と外側棒状体間に、外側棒状体の内側方への弾性変形を許容する変形用隙間が形成され、外側棒状体の外側縁部に、外側方に突出し、挿入部が挿入用隙間に挿入された際に、清掃具本体に係合して、挿入部の挿入用隙間からの離脱を防止する抜止用凸部が形成された点にある。
尚、外側棒状体が、前端に向かうに従って内側方に移行するように、前後方向に対して傾斜状とされ、内側棒状体が外側棒状体よりも前方に突出していることもある。
又、イ．後部の基部と、基部から前方に突設される挿入部とを有する挿入体と、ロ．取付部と、取付部から突設される把持部とを有する把持体とを有し、基部に取付部が左右方向に配設された支持軸を介して揺動自在に備えられ、この揺動により、把持体が使用姿勢と収納姿勢とに姿勢変更可能とされ、把持体の使用姿勢では、把持部が基部から後方斜め上方に延設され、把持体の収納姿勢では、把持部が挿入体の下方に配置されて、把持部が挿入部と当接することもある。
更に、本考案の清掃具の特徴とするところは、ａ．不織布製の基礎シートと、ｂ．基礎シート上に重合された不織布製の重合シートと、ｃ．基礎シートの下面に備えられ、左右方向に流れる繊維及び／又は繊維束から成る清掃部とを有する清掃具本体と、上記清掃具用把手とを備え、重合シート、基礎シート及び清掃部の左右方向中央部が、前後方向に連続的に形成された中央接合部で、一体に接合され、中央接合部の左右両側で、重合シート、基礎シート及び清掃部が、前後方向に沿って形成された左右一対の側部接合部で、一体に接合され、重合シート及び基礎シートにおける、中央接合部と各側部接合部との間が、挿入用隙間とされた点にある。
尚、抜止用凸部が、外側棒状体の前部及び／又は後部に形成され、挿入用隙間の前部及び／又は後部に、抜止用凸部を収容する収容部が外側方に突出状に形成されていることもある。
【考案の効果】
【０００９】
以上詳述したように、本考案によれば、抜止用凸部を挿入用開口から挿入用隙間に容易に挿入できると共に、抜止用凸部を挿入用隙間内で前方に移動させる際に、抜止用凸部が、清掃具本体における、挿入用隙間を構成する部分に引っ掛かったりすることがなく、抜止用凸部をスムーズに移動させることができる。又、外側棒状体を内側方に弾性変形させるための変形用隙間により、把手を軽量化できる。
請求項２記載の考案によれば、挿入部の前端部を挿入用開口から挿入用隙間に容易且つスムーズに挿入できる。
【図面の簡単な説明】
【００１０】
【図１】本考案の実施の形態の一例を示す斜視図である。
【図２】図１の一部分解斜視図である。
【図３】図１の一部平面図である。
【図４】図３の重合シートを除去した状態を示す平面図である。
【図５】図４のＡ−Ａ線矢視断面図である。
【図６】図１の清掃具本体の分解斜視図である。
【図７】図１の把手の平面図である。
【図８】図７の把手の一部断面平面図である。
【図９】図８のＢ−Ｂ線矢視断面図である。
【図１０】図９とは異なる姿勢を示す断面図である。
【考案を実施するための形態】
【００１１】
以下、本考案の清掃具の実施の形態の一例を図面に基づき説明すると、図１〜図５に示すように、清掃具１は、清掃具本体２と、把手３とを有する。
【００１２】
図６にも示すように、清掃具本体２は、基礎シート５と、重合シート６と、清掃部７とを有している。
【００１３】
基礎シート５及び重合シート６は、不織布製とされ、前後方向Ｆに細長い長方形状とされると共に、左右方向Ｌの幅に関して、（略）同一寸法とされている。基礎シート５は、重合シート６よりも前後方向Ｆに長くされ、この基礎シート５の前後方向中央部側の上面に重合シート６が配置、重合されている。
【００１４】
上記不織布としては、サーマルボンド不織布、スパンボンド不織布、エアースルーボンド不織布、スパンレース不織布等が使用される。上記不織布に使用される繊維は、熱可塑性繊維（熱融着性繊維）、又は、該繊維を一部含む繊維である。熱可塑性繊維としては、ポリエチレン（ＰＥ）、ポリプロピレン（ＰＰ）、ポリエチレンテレフタレート（ＰＥＴ）等の繊維、又は、これらの２種以上の繊維が使用される。なお、基礎シート５及び重合シート６を、ＰＥフィルムやＰＰフィルム等の熱可塑性樹脂フィルムから構成してもよい。
【００１５】
清掃部７は、清掃対象に対して拭き清掃を行なうためのもので、基礎シート５の下方に配置されて、その左右各側部が、それぞれ、（略）同一長さだけ、基礎シート５よりも外側方に突出している。清掃部７の前後方向長さは、重合シート６の前後方向長さよりも、若干長くされており、前後方向Ｆに関して、清掃部７の前端は重合シート６の前端よりも若干後方側に位置するようにされると共に、清掃部７の後端も重合シート６の後端よりも後方側に位置している。尚、清掃部７の前後方向長さを、重合シート６と（略）同一として、清掃部７の前後端を、前後方向Ｆに関して、重合シート６の前後端と（略）同一としたり、或いは、清掃部７の前後方向長さを、重合シート６の前後方向長さよりも短くしたりすることもある。
【００１６】
清掃部７は、左右方向Ｌに流れる（配置される）長い繊維及び／又は繊維束により構成されている。清掃部７を構成する繊維としては、ポリエチレン（ＰＥ）、ポリプロピレン（ＰＰ）、ポリエチレンテレフタレート（ＰＥＴ）、レーヨン、ポリアミド系等の繊維、又は、これらの２種以上の繊維が使用される。
【００１７】
上記のように積層された重合シート６、基礎シート５及び清掃部７の左右方向中央部は、上下（厚さ）方向全長にわたって形成された中央接合部９で、一体に接合されている。中央接合部９は、前後方向Ｆに連続した直線状に形成されている。中央接合部９の前後端は、前後方向に関して、清掃部７の前後端と一致している。
【００１８】
中央接合部９の左右両側では、重合シート６の左右両端部、基礎シート５及び清掃部７が、左右一対の側部接合部１１で、一体に接合されている。中央接合部９及び側部接合部１１の接合は、熱シール、超音波シールにより行なわれる。側部接合部１１は、清掃部７の上下方向全長にわたって形成されておらず、例えば、清掃部７の上部側のみに側部接合部１１が形成されて、この上部側のみが基礎シート５に接合されている。これにより、清掃部７の左右方向中央部側にも、側部接合部１１により接合されていない繊維及び／又は繊維束があるようにして、拭き清掃を良好に行なえるようにしている。
【００１９】
側部接合部１１は、前後方向に連続的に形成されており、前後方向に関して、側部接合部１１の前端は、重合シート６の前端よりも若干後方側に位置し、側部接合部１１の後前も、重合シート６の後端よりも後方側に位置している。側部接合部１１は、平面視において、その前後方向中央部で前後方向Ｆに直線状に形成された中央直線部１３と、側部接合部１１の前後部で前後方向Ｆに直線状に形成され且つ中央直線部１３よりも外側方に位置する前側・後側端部直線部１４，１５と、中央直線部１３の前後端部と各端部直線部１４，１５の対応する端部を連結し且つ前後方向Ｆに対して斜めに直線状に形成された前側・後側斜行部１６，１７とからなる。
【００２０】
基礎シート５及び重合シート６における、中央接合部９と各側部接合部１１との間が、偏平な筒状とされた左右一対の挿入用隙間１９とされ、各隙間１９の前後端には、前方又は後方に開口する前側・後側挿入用開口２０，２１が形成されている。挿入用隙間１９の前後部には、前後方向中央部よりも外側方に突出する前側・後側収容部２２，２３が形成されている。
【００２１】
図７〜図１０にも示すように、把手３は、清掃具本体２に着脱自在に備えられて、清掃時に使用者により把持されるもので、弾性変形可能な硬質樹脂製とされている。把手３は、挿入体２５と、挿入体２５とは別体とされ且つ挿入体２５から後方斜め上方に延設される把持体２６とを有している。
【００２２】
挿入体２５は、挿入体２５の後部を構成する基部２８と、基部２８から前方に突設された左右一対の挿入部２９とを有し、これらは一体形成されている。基部２８の後部の左右両端部を除く部分には、前部側の装着用凹部３０と、後部側の装着用穴３１とが形成されている。装着用凹部３０は下方に凹設されたもので、その底面からは、ロック体３２が一体的に立設されている。ロック体３２は、装着用凹部３０の底面から立設された立設部３３と、立設部３３から上方に突設された側面視台形状のロック部３４とから成る。装着用穴３１は上下方向Ｕに貫通形成されている。装着用穴３１の内面の各側面には、外側方に凹設された左右一対の凹設部３５が形成されている。
【００２３】
各挿入部２９は、清掃具本体２の各挿入用隙間１９に、後側の挿入用開口２１又は前側の挿入用開口２０から挿脱自在に挿入されるもので、内側棒状体３７と外側棒状体３８とを有する。これら内側棒状体３７と外側棒状体３８は左右方向Ｌに並設されて、外側棒状体３８は内側棒状体３７の外側方に配置され、両者間には、外側棒状体３８の内側方への湾曲状の弾性変形を許容する変形用隙間３９が形成されている。尚、この隙間３９の形成により、把手３を軽量化できる。
【００２４】
内側・外側棒状体３７，３８は、それぞれ、略前後方向に配設されているが、前端に向かうに従って内側方に移行するように、前後方向Ｆに対して傾斜状とされて、各挿入部２９は先細状とされている。外側棒状体３８の上記傾斜は、内側棒状体３７の傾斜よりも大とされている。尚、外側棒状体３８の前端を内側棒状体３７に対し左右方向Ｌに関して当接させる場合と、当接させずに、離間させる場合とがある。内側棒状体３７は外側棒状体３８よりも長くされて、外側棒状体３８よりも前方に突出しており、これにより、各挿入部２９はより一層先細状とされている。各棒状体３７，３８の前端部の上面は前下がりの傾斜面４１，４２とされて、各棒状体３７，３８は先細状とされている。
【００２５】
外側棒状体３８の外側縁部の前後部には、外側方に湾曲に突出する前側・後側抜止用凸部４４，４５が形成されている。これら抜止用凸部４４，４５は、清掃具本体２の前側・後側収容部２２，２３に離脱可能に（略）収容され、前側抜止用凸部４４及び／又は後側抜止用凸部４５が、対応する前側・後側斜行部１６，１７や、前側・後側端部直線部１４，１５、或いは、基礎シート５や重合シート６のその他の部分と係合することで、把手３と清掃具本体２との前後方向Ｆに関する相対的な移動が阻止され、把手３の清掃具本体２からの不慮の脱落が阻止される。抜止用凸部４４，４５には、清掃具１を軽量化するための軽量化用孔４６，４７が上下方向Ｕに貫通形成されている。尚、軽量化用孔４６，４７に、抜止用凸部４４，４５の内側方への弾性変形を許容する機能を持たせることもある。  
【００２６】
把持体２６は、平面視が略長方形状とされた取付部４９と、取付部４９の後部から後方斜め上方に延設された把持部５０とを一体形成して成る。取付部４９の前部には、ロック体３２の立設部３３が挿通される挿通孔５１が上下方向Ｕに貫通形成されている。取付部４９の後端部の左右両側からは、左右一対の支持軸５２が外側方に突設され、これら支持軸５２が、基部２８の装着用穴３１の凹設部３５に弾性変形を介して挿入されることで、把持体２６は挿入体２５に支持軸５２を中心として揺動自在に備えられている。
【００２７】
この揺動により、把持体２６は、図９に示す使用姿勢と、図１０に示す収納姿勢とに姿勢変更自在とされている。把持体２６の使用姿勢では、取付部４９が装着用凹部３０と装着用穴３１内に収容されて、取付部４９が装着用凹部３０の底面に当接すると共に、取付部４９の上側が基部２８の上面と（略）面一とされている。そして、ロック体３２の立設部３３が基部２８の挿通孔５１に挿通されて、ロック体３２のロック部３４が基部２８の上方に突出し、ロック部３４の下面が基部２８の上面と当接乃至小隙を介して対向することで、把持体２６の使用姿勢が維持される。このように、ロック体３２と基部２８とにより、把持体２６の使用姿勢をロックするロック機構が構成される。又、把持体２６の使用姿勢では、把持部５０が取付部４９から後方斜め上方に延設された姿勢とされる。
【００２８】
把持体２６の収納姿勢では、把持体２６の把持部５０が挿入体２５の下方に位置して、把持部５０の後端部が挿入部２９の下面に当接し、把持体２６はコンパクトな状態となる。把持体２６の姿勢の変更時には、ロック体３２及び／又は基部２８の弾性変形により、ロック部３４が基部２８の挿通孔５１に対して挿脱される。
【００２９】
上記構成例によれば、清掃具１を組み立てる際には、図２に示すように、把手３の把持体２６を使用姿勢として、ロック機構によりロックした後、把手３の挿入部２９を清掃具本体２の挿入用隙間１９に後側挿入用開口２１から挿入する。尚、清掃具本体２を前後逆にして、把手３の挿入部２９を前側挿入用開口２０から挿入用隙間１９に挿入することもある。
【００３０】
ところで、本例では、外側棒状体３８が、前端に向かうに従って内側方に移行するように、前後方向Ｆに対して傾斜状とされると共に、内側棒状体３７が外側棒状体３８よりも長くされて、内側棒状体３７が外側棒状体３８よりも前方に突出するようにされて、挿入部２９は先細状とされている。又、各棒状体３７，３８の前端部の上面が前下がりの傾斜面４１，４２とされて、各棒状体３７，３８も先細状とされている。
【００３１】
上記構成により、挿入部２９の前端部を後側挿入用開口２１から挿入用隙間１９に容易に挿入できる。
【００３２】
ところで、把手３の挿入部２９を清掃具本体２の挿入用隙間１９に挿入した際には、挿入された挿入部２９により、挿入用隙間１９が上下方向Ｕに拡大し、これに伴い、挿入用隙間１９が左右方向Ｌに関して縮小する。これにより、挿入部２９の抜止用凸部４４，４５が後側挿入用開口２１から挿入用隙間１９に容易に挿入できなくなったり、或いは、抜止用凸部４４，４５を挿入用隙間１９内で前方に移動させる際に、抜止用凸部４４，４５が、基礎シート５及び重合シート６における、挿入用隙間１９を形成する部分に引っ掛かったりすることがある。
【００３３】
しかし、本例によれば、上記の場合には、外側棒状体３８が内側方に湾曲状に弾性変形して、抜止用凸部４４，４５が内側方に移動するので、抜止用凸部４４，４５を後側挿入用開口２１から挿入用隙間１９に容易に挿入できると共に、抜止用凸部４４，４５が、基礎シート５及び重合シート６における、挿入用隙間１９を構成する部分に引っ掛かったりすることがなく、抜止用凸部４４，４５を挿入用隙間１９内でスムーズに前方に移動させることができる。
【００３４】
上記のようにして、挿入部２９を挿入用隙間１９の正規位置まで挿入すると、挿入部２９の前側・後側抜止用凸部４４，４５が挿入用隙間１９の前側・後側収容部２２，２３に（略）収容され、前側抜止用凸部４４及び／又は後側抜止用凸部４５が、対応する前側・後側斜行部１６，１７、又は、前側・後側端部直線部１４，１５、或いは、基礎シート５や重合シート６のその他の部分と係合することで、把手３と清掃具本体２との前後方向Ｆに関する相対的な移動が阻止され、把手３の清掃具本体２からの不慮の脱落が阻止される。
【００３５】
清掃時には、把手３の把持部５０を把持し、清掃具本体２の清掃部７により拭き清掃を行なう。
【符号の説明】
【００３６】
１  清掃具
２  清掃具本体
３  把手
５  基礎シート
６  重合シート
７  清掃部
９  中央接合部
１１  側部接合部
１９  挿入用隙間
２０，２１  前側・後側挿入用開口
２２，２３  前側・後側収容部
２５  挿入体
２６  把持体
２８  基部
２９  挿入部
３２  ロック体
３７，３８  内側・外側棒状体
３９  変形用隙間
４４，４５  前側・後側抜止用凸部
５１  挿通孔
５２  支持軸
Ｆ  前後方向
Ｌ  左右方向
【図１】
0003201421.tif 000003
【図２】
0003201421.tif 000004
【図３】
0003201421.tif 000005
【図４】
0003201421.tif 000006
【図５】
0003201421.tif 000007
【図６】
0003201421.tif 000008
【図７】
0003201421.tif 000009
【図８】
0003201421.tif 000010
【図９】
0003201421.tif 000011
【図１０】
0003201421.tif 000012